(57)【特許請求の範囲】
【請求項１】
ケーソンタイプの既設防波堤の高さを高くする防波堤の補強方法であって、
前記既設防波堤を構成する既設ケーソンに対応する大きさを有する門型ケーソンを製作するステップと、
前記門型ケーソンを、前記既設防波堤に被せるように据え付けるステップと、
前記門型ケーソンを前記既設防波堤に被せるように据え付けた状態で、前記門型ケーソンと前記既設防波堤との間に充填材を充填すると共に前記門型ケーソンを前記既設防波堤に対し一体化するステップとを備え、
前記門型ケーソンは、上側壁部と、平行に延びる２つの前後側壁部とを有し、
前記上側壁部は、前記複数の投入口が形成され、前記前後側壁部はそれぞれ中空構造とされ、前記既設防波堤と前記門型ケーソンとの間に前記充填材を充填可能である複数の投入口が設けられていることを特徴とする防波堤の補強方法。
【請求項２】
前記各投入口は、補強のための鉄骨が内部に架け渡されている請求項１記載の防波堤の補強方法。
【請求項３】
前記一体化された門型ケーソンの前記複数の投入口も前記充填材で充填するステップと、その後前記上側壁部を覆う蓋コンクリートを設けるステップと、前記蓋コンクリートの上に上部コンクリートを設けるステップとを有する請求項１又は２に記載の防波堤の補強方法。
【請求項４】
前記門型ケーソンは、前記前後側壁部内には、前記門型ケーソンの下部と前記既設防波堤との間に止水材を充填するための配管があらかじめ設けられている請求項１に記載の防波堤の補強方法。
【請求項５】
さらに、前記一体化する際に、前記既設防波堤と門型ケーソンの前後側壁部との間には、それらの間に形成される隙間を塞ぐ蓋部材を設けるステップを有し、
前記蓋部材に、前記隙間に充填材を充填する配管を挿入するための挿入穴が設けられている請求項１に記載の防波堤の補強方法。
【請求項６】
前記門型ケーソンに、前記既設防波堤の目地部に対応して止水材が充填される円筒型充填袋が配置され、前記充填袋への止水材の充填により前記既設防波堤と門型ケーソンとの間に海水が浸水するのを防止する止水部を形成するステップを有する請求項１〜５のいずれか１つに記載の防波堤の補強方法。
【請求項７】
前記既設防波堤の上部であって幅方向両側に、設置される前記門型ケーソンの内面に向かって延びる外壁を設けるステップを有する請求項１〜６のいずれか１つに記載の防波堤の補強方法。
【請求項８】
前記門型ケーソンは、前記既設防波堤の側方から差し込んで前記防波堤が延びる方向に移動させて据え付けるもので、前記既設防波堤の壁面を転がり前記既設防波堤と前記門型ケーソンとの接触を規制するローラが設けられている請求項１〜７のいずれか１つに記載の防波堤の補強方法。
【発明の詳細な説明】
【技術分野】
【０００１】
本発明は、ケーソンタイプの防波堤の補強方法に関する。
【背景技術】
【０００２】
ケーソンタイプの既設防波堤（第一線防波堤）が、地震や津波などによって被災すると、その防波堤によって港内を波浪から遮蔽することができなくなり、満足な港湾機能を確保できない状態になる。そのため、早急に防波堤を整備する必要があるにもかかわらず、新たに防波堤を施工するのは、時間と、コストを必要とする。
【０００３】
そこで、まず、暫定措置として、まず被災したケーソンなどを再利用して、防波堤の原型復旧工事を行うことが通例である。
【０００４】
しかしながら、単に原型復旧工事を行うだけでは、再度同様に被災するおそれがある。
【０００５】
そのため、原型復旧工事を終了した後に、新たに定められる津波条件（次回予測される津波条件）に対応できる防波堤を築造することが必要である。
【０００６】
ところで、ケーソンタイプの防波堤の補強方法として、ケーソンタイプの既設防波堤の前面壁または背面壁に沿って、断面で前後方向に非対称形状の増設ケーソンを設置して補強することは知られている（例えば特許文献１参照）。
【先行技術文献】
【特許文献】
【０００７】
【特許文献１】特開２００８−１９０２５４号公報
【発明の概要】
【発明が解決しようとする課題】
【０００８】
前記特許文献１に記載の技術では、既設防波堤の前面壁または背面壁に沿って、断面で前後方向に非対称形状の増設ケーソンを設置するため、既設防波堤の高さより高い津波条件に対応できる補強はすることができない。
【０００９】
発明者は、ケーソンタイプの既設防波堤を覆う門型のケーソンを用いれば、既設防波堤を利用して、既設防波堤の高さの高い津波条件に対応できるように既設防波堤を補強できることに着想し、本発明をなしたものである。
【００１０】
本発明は、既設防波堤に被せられる大きさの門型ケーソンを利用することで、既設の防波堤の補強工事を、短期かつ安価にできる防波堤の補強方法を提供することを目的とする。
【課題を解決するための手段】
【００１１】
請求項１の発明は、ケーソンタイプの既設防波堤の高さを高くする防波堤の補強方法であって、前記既設防波堤を構成する既設ケーソンに対応する大きさを有する門型ケーソンを製作するステップと、前記門型ケーソンを、前記既設防波堤に被せるように据え付けるステップと、前記門型ケーソンを前記既設防波堤に被せるように据え付けた状態で、前記門型ケーソンと前記既設防波堤との間に充填材を充填すると共に前記門型ケーソンを前記既設防波堤に対し一体化するステップとを備え、前記門型ケーソンは、上側壁部と、平行に延びる２つの前後側壁部とを有し、前記上側壁部は、前記複数の投入口が形成され、前記前後側壁部はそれぞれ中空構造とされ、前記既設防波堤と前記門型ケーソンとの間に前記充填材を充填可能である複数の投入口が設けられていることを特徴とする。ここで、門型ケーソンの大きさは、既設防波堤と一体であるとして、通常のケーソン式防波堤の設計法に準じて決定される。また、既設ケーソン（既設防波堤）には、災害などを受け、原型復旧されたケーソンも含まれる。さらに、被せるように据え付けるとは、据え付けた状態で被せる状態になっている、という意味である。
【００１２】
このようにすれば、陸上作業ヤードなどにおいて製作した門型ケーソンを、前記既設防波堤（既設ケーソン）を被せるよう据え付けた状態で、前記門型ケーソンの複数の投入口を通じて、前記門型ケーソンと前記既設防波堤（既設ケーソン）との間に各種充填材を充填することで、それらを一体化し、防波堤を補強することが可能となる。特に、門型ケーソンを既設防波堤に被せるように据え付けるので、既存防波堤の高さを高くする上で有利な補強となる。
【００１４】
また、外観上、新たに防波堤を構築した場合と同様にすることができ、外観を損なうことがない。
【００１５】
請求項２に記載のように、前記各投入口は、補強のための鉄骨が内部に架け渡されていることが望ましい。
【００１６】
このようにすれば、必要な剛性を確保した上で、追加施工する門型ケーソンの軽量化が図れ、門型ケーソンの取り扱いが容易となる。
【００１７】
請求項３に記載のように、前記一体化された門型ケーソンの前記複数の投入口も前記充填材で充填するステップと、その後前記上側壁部を覆う蓋コンクリートを設けるステップと、前記蓋コンクリートの上に上部コンクリート（いわゆる上部工）を設けるステップとを有する構成とすることができる。
【００１８】
このようにすれば、外観に大きな変更を与えることなく、防波堤の高さを高くすることができる。
【００１９】
請求項４に記載のように、前記門型ケーソンは、前記前後側壁部内には、前記門型ケーソンの下部と前記既設防波堤との間に止水材を充填するための配管があらかじめ設けられていることが望ましい。
【００２０】
このようにすれば、前記配管を用いて前記門型ケーソンの下部と既設ケーソンとの間に止水材の充填を簡単に行うことができる。
【００２１】
請求項５に記載のように、さらに、前記一体化する際に、前記既設防波堤と門型ケーソンの前後側壁部との間には、それらの間に形成される隙間を塞ぐ蓋部材を設けるステップを有し、前記蓋部材に、前記隙間に充填材を充填する配管を挿入するための挿入穴が設けられていることが望ましい。
【００２２】
このようにすれば、蓋部材によって配管の安定した支持が可能となり、前記既設ケーソンと門型ケーソンの前後側壁部との間の隙間への充填材（例えば膨張コンクリート）の充填作業が容易になる。
【００２３】
請求項６に記載のように、前記門型ケーソンに、前記既設防波堤の目地部に対応して止水材が充填される円筒型充填袋が配置され、前記充填袋への止水材の充填により前記既設防波堤と門型ケーソンとの間に海水が浸水するのを防止する止水部を形成するステップを有することが望ましい。
【００２４】
このようにすれば、円筒型充填袋を利用して、前記既設ケーソンと門型ケーソンとの間に海水が浸水するのを防止する止水部を形成する作業が容易となる。
【００２５】
請求項７に記載のように、前記既設防波堤の上部であって幅方向両側に、設置される前記門型ケーソンの内面に向かって延びる外壁を設けるステップを有することが望ましい。
【００２６】
このようにすれば、前記既設ケーソンの上部と前記門型ケーソンとの間における充填材（例えば、中詰砂）が、外壁によって外部に漏れるのが防止される。
【００２７】
ところで、前記門型ケーソンが大型で重量がある場合には、請求項８に記載のように、前記門型ケーソンは、前記既設防波堤の側方から差し込んで前記防波堤が延びる方向に移動させて据え付けるもので、前記既設防波堤の壁面を転がり前記既設防波堤と前記門型ケーソンとの接触を規制するローラが設けられていることが望ましい。
【００２８】
このようにすれば、門型ケーソンを半没させた状態で、前記既設防波堤の側方から差し込んで前記防波堤が延びる方向に移動させて据え付ける際に、門型ケーソンが既設防波堤に接触して損傷するのが回避され、門型ケーソンが大型であっても無理なく、最終的に既設防波堤に被さる状態に据え付けることができる。
【発明の効果】
【００２９】
本発明は，上記のように構成したから、既設の防波堤を覆う門型ケーソンを利用することで、既設防波堤の高さを高くする補強工事を、短期かつ安価に行うことできる。
【図面の簡単な説明】
【００３０】
【図１】本発明に係る既設防波堤（既設ケーソン）を、門型ケーソンで補強した後の状態を示す概略説明図である。
【図２】図１のＡ−Ａ線における断面図である。
【図３】門型ケーソンを示す斜視図である。
【図４】門型ケーソンと既設ケーソンとの関係を示す斜視図である。
【図５】既設ケーソン復旧（ステップ１）の説明図である。
【図６】門型ケーソン据え付け前準備（ステップ２）の説明図である。
【図７】門型ケーソン据え付け（ステップ３）の説明図である。
【図８】門型ケーソンの運搬の説明図である。
【図９】図９（ａ）〜（ｅ）はそれぞれ既設ケーソン・門型ケーソン一体化準備作業（ステップ４の説明図である。
【図１０】図１０（ａ）〜（ｅ）はそれぞれ既設ケーソン・門型ケーソン一体化準備作業（ステップ４）の説明図である。
【図１１】図１１（ａ）（ｂ）はそれぞれ既設ケーソン・門型ケーソン一体化作業（ステップ５）の説明図である。
【図１２】中詰砂充填（ステップ６）の説明図である
【図１３】蓋コンクリート打設（ステップ７）の説明図である。
【図１４】止水グラウト充填袋天端部分切断撤去（ステップ８）の説明図である。
【図１５】上部コンクリート打設（ステップ９）の説明図である。
【図１６】門型ケーソンの他の実施の形態を示す説明図である。
【図１７】門型ケーソンのさらに別の実施の形態を示す説明図である。
【発明を実施するための形態】
【００３１】
以下、本発明の実施の形態を図面に沿って説明する。なお、次の説明において、既設ケーソン２が据え付けられている方向（防波堤が延びている方向）を左右方向（幅方向）、海（外洋）側を前側、陸側を後側として説明する。
【００３２】
図１は本発明に係る既設防波堤（既設ケーソン）を、門型ケーソンで補強した後の状態を示す概略説明図、図２は図１のＡ−Ａ線における断面図、図３は門型ケーソンを示す斜視図、図４は門型ケーソンと既設ケーソンとの関係を示す斜視図である。
【００３３】
図１〜図４に示すように、本発明に係る防波堤の補強方法は、既設防波堤１を構成する既設ケーソン２（あるいは原型復旧されたケーソン）を門型ケーソン３で覆い、防波堤高さを既設防波堤１より高い補強防波堤４とするものである。
【００３４】
各既設ケーソン２は、下部に、前後方向において安定化を図るために前後方向に突出したフーチング２ａを有し、上面が均された捨石マウンド５上に据え付けられている。この捨石マウンド５は、補強のための門型ケーソン３の大きさに合わせて、補強マウンド５Ａによって、門型ケーソン３による補強前の捨石マウンド５Ｂ上の前後が補強され、拡幅されている。
【００３５】
門型ケーソン３は、左右方向において既設ケーソン２にほぼ等しい幅を有し前後方向において既設ケーソン２より長い矩形状の上側壁部３Ａと、上側壁部３Ａの前後両縁より鉛直下方に平行に延びる前後側壁部３Ｂ，３Ｃとを有し、門型状とされている。この門型ケーソン３は、基本的にはＲＣ構造で、必要な剛性を確保するために所定の高さとされている。なお、前後側壁部３Ｂ，３Ｃの下端には、フーチング２ａが嵌り込む段部３Ｂａ，３Ｃａが形成されている。
【００３６】
既設ケーソン２と前後側壁部３Ｂ，３Ｃとの間には膨張コンクリート６（充填材）が、既設ケーソン２と上側壁部３Ａとの間には、中詰砂７（充填材）がそれぞれ充填され、既設ケーソン２と門型ケーソン３とが一体化される。
【００３７】
門型ケーソン３の上側には、蓋コンクリート１１を挟んで、海側に凸部１２ａを有する上部コンクリート１２（いわゆる上部工）が設けられる。
【００３８】
上側壁部３Ａは、複数の、空洞状の投入口３Ａａ（隔室）が上下方向に貫通して形成され、各投入口３Ａａは、上方から見て矩形状で、その対角線方向に補強のために鉄骨１３が架け渡すように設けられている。これにより、軽量化と、膨張コンクリート６、中詰砂７などの各種充填材の施工空間の確保との両立が図られている。前後側壁部３Ｂ，３Ｃには、軽量化のために、上下方向に延び底部を有する複数の中空部３Ｂｂ，３Ｃｂがそれぞれ形成されており、その中空部３Ｂｂ，３Ｃｂの内部には据え付け後、中詰砂７が充填される。また、投入口３Ａａにも、据え付け後、内部に中詰砂７が充填される。
【００３９】
なお、門型ケーソン３を据え付ける際の施工精度や既設ケーソン２のフーチング２ａとの嵌め合いなどを考慮して，既設ケーソン２とそれの外側に据え付ける門型ケーソン３との間隙（クリアランス）が決定される。つまり、既設ケーソン２に門型ケーソン３を被せた状態でそれらの間に間隙が形成されるようになっており、その間隙は、通常、例えば５０ｃｍ程度とされる。
【００４０】
膨張コンクリート６（充填材）が両ケーソン２，３と密着し十分な強度を得ためには、堅固に密閉・拘束された状態で硬化させる必要があるので、既設ケーソン２と、門型ケーソン３との間の隙間の底部及び側部は水が浸入しないように、グラウト材１４（止水材）を使用するなどして密閉する（図２参照）。なお、膨張コンクリート６には、ケーソン２，３と同程度の圧縮強度を持たせている。
【００４１】
続いて、門型ケーソン３の施工の手順について詳細に説明する。
・ステップ１：既設ケーソンの復旧
既設ケーソンが損傷している場合には、まず、原型復旧工事により、据え付け当初の元の形状の既設ケーソン２とする（図５参照）。なお、捨石マウンド５は、門型ケーソン３の大きさに応じて前後が補強マウンド５Ａにて補強され、マウンド面については均しが行われている。なお、基礎捨石は、例えば、２００〜４００ｋｇ／個である。
・ステップ２：門型ケーソンの据え付け前の準備
図６に示すように、既設ケーソン２のフーチング２ａの上側（門型ケーソン３の支持部分となり段部３Ｂａ，３Ｃａが嵌合する部分）に、海水の浸入を防止するシート状の止水材２１をセットすると共に、既設ケーソン２と門型ケーソン３との間に充填する材料を拘束し外部に漏れないようにするための板状の外壁２２を、図６に示すように、既設ケーソン２の上部上であって、それにより若干上方まで延びるように門型ケーソン３の内面（あるいは下面）に向かって延びるように、幅方向両側に構築する。
【００４２】
この際、門型ケーソン３の据え付け後に、図７及び図９（ａ）（ｂ）に示すように、外壁２２の上端縁と門型ケーソン３との間に隙間Ｓが形成されるように、あらかじめある程度高さを控えて外壁２２を構築する。
・ステップ３：門型ケーソン製作・門型ケーソンの据え付け
それから、図７に示すように、外壁２２を介して、既設ケーソン２（既設防波堤１）に対し上側から門型ケーソン３を被せるように据え付ける。
【００４３】
この門型ケーソン３は、陸上作業ヤードで、既設ケーソン２に対応する大きさ、つまり既設防波堤１の既設ケーソン２を覆うことができる大きさに製作する。よって既設ケーソン２（既設防波堤１）に応じて門型ケーソン３の大きさは異なることになる。
【００４４】
この製作後、図８に示すように、門型ケーソン３を例えばクレーン船２３を用いて運搬し、既設の防波堤１の上空より門型ケーソン３を吊り下げて既設ケーソン２上に被せるように据え付けることになる。門型ケーソン３の据え付け後、外壁２２の天端と門型ケーソン３の下面との間には、隙間Ｓが形成されている。
・ステップ４：既設ケーソンと門型ケーソンとの一体化準備作業
まず、外壁２２の天端と門型ケーソン３の内面との間に形成されている隙間を埋める。これにより、中詰砂７を充填した際に、外部に漏れないようになる。
【００４５】
門型ケーソン３を据え付け後、図９（ａ）に示すように、底部止水コンクリート２４を打設する。底部止水コンクリート２４の打設手順は、具体的には、図９（ｃ）に示すように、門型ケーソン３の前後側壁部３Ｂ，３Ｃに下端から天端まで延びるようにあらかじめ埋め込まれている埋め込み配管２５（既設設置管）に対し、天端付近でコンクリートプラント船（図示せず）の打設配管２６を連結し、その埋め込み配管２５を通じて、図９（ｄ）に示すように、止水材２１上に底部止水コンクリート２４（止水材）を打設する。なお、埋め込み配管２５は、各中空部３Ｂｂ，３Ｃｂ内にあらかじめ取付金具（図示せず）を用いて下端が底部を貫通するように取り付けられ（図９（ｄ）参照）、この埋め込み配管２５を通じて所定の箇所に、底部止水コンクリート２４を無理なく充填できるようになっている。
【００４６】
それから、図９（ｅ）に示すように、蓋部材としての拘束蓋２７（Ｌ型鋼製）をボルト２８にて取り付ける。つまり、拘束蓋２７の水平部を既設ケーソン２の上部に、鉛直部を門型ケーソン３の前後側壁部３Ｂ，３Ｃの内壁面側にそれぞれ固定する。この拘束蓋２７には、幅方向に複数の挿入穴２７ａが形成されており、その挿入穴２７ａに、コンクリートプラント船（図示せず）の打設配管２９が昇降可能に挿入される。
【００４７】
さらに、図１０（ａ）（ｂ）（ｃ）に示すように、グラウト材３１（止水材）と充填孔３２ａを有する、止水グラウトの円筒型充填袋３２が目地部３３に取り付けられ、その充填袋３２を通じて止水グラウト３１を打設する。これにより、図１０（ｄ）に示すように、門型ケーソン３と既設ケーソン２との間に、充填袋３２内に充填されたグラウト材３１による止水部が形成され、海水３４がある部分と膨張コンクリート６とが遮断され、既設ケーソン２と門型ケーソン３との間に海水が浸水するのが防止されるようになっている。なお、この充填袋３２は、天端である突出部分３２ｂを除き（図１４参照）、グラウト材３１と共に施工後も残される。
・ステップ５：既設ケーソンと門型ケーソンとの一体化作業
前述した目地施工の後、図１１（ａ）に示すように、打設配管２９を通じて膨張コンクリート６を打設する。つまり、拘束蓋２７の挿入穴２７ａに打設配管２９を挿入し、この打設配管２９を一旦最下部まで下げてから打設配管２９を順次引き上げながら、底部側から徐々に膨張コンクリート６を隙間に充填して行く。なお、膨張コンクリート６としては、水中不分離性膨張コンクリートを用い、側部に設置した圧力計により充填状況を管理する。
【００４８】
これにより、上方から見て図１１（ｂ）に示すように、既設ケーソン２と門型ケーソン３との間に膨張コンクリート６とが充填され、その外側に底部止水コンクリート２４が位置することになる。
・ステップ６：中詰砂充填
図１２に示すように、既設ケーソン２の上部と門型ケーソン３との間に空間、前後側壁部３Ｂ，３Ｃの中空部３Ｂｂ，３Ｃｂ及び投入口３Ａａに対し、中詰砂７を充填する。
ステップ７：蓋コンクリート打設
中詰め砂７を充填し空所部分をなくした後、図１３に示すように、門型ケーソン３の上側に蓋コンクリート１１を施工し、蓋コンクリート１１によって門型ケーソン３の上側を覆う。
ステップ８：充填袋天端部分切断除去
それから、図１４に示すように、止水グラウト充填袋３２の突出部分３２ｂを切断により除去する。
ステップ９：上部コンクリート打設
図１５に示すように、上部コンクリート１２（いわゆる上部工）を打設し、既設防波堤１より一定の高さだけ高い補強防波堤４とする。
【００４９】
本発明は，前述した実施の形態に制限されるものではなく、次のように変更して実施することも可能である。
【００５０】
(i)前記実施の形態では、既設ケーソンが損傷している場合であって、原型復旧工事を行うものに適用しているが、本発明は、それに限定されるものではなく、損傷していなくても、既設防波堤（既設ケーソン）の高さを高くしたい場合にも同様に適用することができるのはもちろんである。
【００５１】
(ii)消波機能が必要な場合には、前面に消波ブロックを設置することができるのはもちろん、図１６に示すように、門型ケーソン３’の前面に凹部３ａ（あるいは開孔）を設け、消波構造を組み込む構成とすることも可能である。
【００５２】
(iii)例えば吊り上げ能力４０００ｔのクレーンを用いれば、３２００ｔの門型ケーソンまで吊り下げて施工可能であるが、陸上作業ヤードから門型ケーソンをクレーン船で吊り下げることができない場合には、次のようにして施工を行うことができる。
【００５３】
まず、門型ケーソンの前後壁部を陸上ヤードで製作し、前記前後壁部をクレーン船により海上打継ぎヤードに移動させた後、ケーソン内に注水する。そして門型ケーソンの残部（上壁部など）を製作する。あるいはフローティングドック上で製作してもよい。なお、海上打継ぎ作業ヤードの水深は、完成した門型ケーソンを吊り上げる際のクレーン船の能力を考慮して決定する。
【００５４】
それから、門型ケーソン内の水を排出し、門型ケーソンを海中に半没させながらクレーン船で据え付け現場まで吊り下げ運搬するか、あるいは前記フローティングドックを据え付け現場に回航する。
【００５５】
据え付け現場では、門型ケーソン３”を半没させクレーン船２３のクレーン２３ａで吊り下げた状態で、図１７（ａ）（ｂ）に示すように、既設防波堤１の側方から差し込み、所定の位置まで移動させて、既設ケーソンの上側に被せた状態に据え付ける。このとき、門型ケーソン３”の前後側壁部には複数のローラ３ｂが回転可能に設けられ、前記複数のローラ３ｂが前記移動の際に既設防波堤１の壁面を転がるので、門型ケーソン３”が、既設防波堤１に接触して既設防波堤を損傷するおそれがない。これにより、門型ケーソンの大きさに関係なく、本発明の適用が可能となる。
【符号の説明】
【００５６】
１    既設防波堤
２    既設ケーソン
３，３’    門型ケーソン
３Ａ  上側壁部
３Ａａ    投入口
３Ｂ    前側壁部
３Ｂｂ    中空部
３Ｃ    後側壁部
３Ｃｂ    中空部
４    補強防波堤
６    膨張コンクリート
７    中詰砂
１１    蓋コンクリート
１２    上部コンクリート
２１    止水材
２２    外壁
２４    底部止水コンクリート
２５    埋め込み配管
２６，２９    打設配管
２７    拘束蓋
３１    グラウト材
３２    円筒型充填袋
【図１】
0005685482.tif 000002
【図２】
0005685482.tif 000003
【図３】
0005685482.tif 000004
【図４】
0005685482.tif 000005
【図１６】
0005685482.tif 000006
【図５】
0005685482.tif 000007
【図６】
0005685482.tif 000008
【図７】
0005685482.tif 000009
【図８】
0005685482.tif 000010
【図９】
0005685482.tif 000011
【図１０】
0005685482.tif 000012
【図１１】
0005685482.tif 000013
【図１２】
0005685482.tif 000014
【図１３】
0005685482.tif 000015
【図１４】
0005685482.tif 000016
【図１５】
0005685482.tif 000017
【図１７】
0005685482.tif 000018